(57)【要約】【課題】故人に関わる映像を表示すると共に、参拝者に自然の中で実際に墓参りをしているような感覚を与えることができる納骨堂の参拝システムを提供する。【解決手段】遺骨を収納する遺骨収納器２を保管する保管庫３と、保管庫３から遺骨収納器２が搬送される祭壇４と、を有する納骨堂１において、所定の静止画又は／及び動画からなる待機映像を祭壇４に表示させる待機映像表示手段１５と、祭壇４に搬送された遺骨収納器２に収納された遺骨に対応する故人の情報又はメッセージを含む静止画又は／及び動画からなる参拝映像を該祭壇４に表示させる参拝映像表示手段１６と、該祭壇４に設けたセンサ８又はスイッチからの信号に基づいて待機映像と参拝映像を切り替える映像切替手段１７と、を備えている。【選択図】図１
2019035274.tif 000002
【特許請求の範囲】
【請求項１】
一又は二以上の遺骨を収納する遺骨収納器と、複数の前記遺骨収納器を保管する保管庫と、前記保管庫から前記遺骨収納器が搬送される祭壇と、を有する納骨堂において、
所定の静止画又は／及び動画からなる待機映像を前記祭壇に表示させる待機映像表示手段と、
前記祭壇に搬送された前記遺骨収納器に収納された一又は二以上の遺骨に対応する故人の情報又はメッセージを含む静止画又は／及び動画からなる参拝映像を該祭壇に表示させる参拝映像表示手段と、
該祭壇に設けたセンサ又はスイッチからの信号に基づいて前記待機映像と前記参拝映像を切り替える映像切替手段と、
を備えた納骨堂の参拝システム。
【請求項２】
前記映像切替手段が、前記納骨堂の参拝時に使用する仏具若しくは神具を検出するセンサ又は前記仏具若しくは前記神具を所定位置に載置することによって作動するスイッチを備える請求項１に記載の納骨堂の参拝システム。
【請求項３】
前記映像切替手段が、香炉を検出するセンサ又は香炉を所定位置に載置することによって作動するスイッチを備える請求項２に記載の納骨堂の参拝システム。
【請求項４】
前記切替手段は、前記参拝映像に切り替える前記信号を受信すると、前記待機映像が左右に分かれて中央部から両端部に向かって徐々に参拝映像に切り替え、前記待機映像に切り替える前記信号を受信すると、左右の両端部から中央部に向かって徐々に前記参拝映像が前記待機映像に切り替える請求項１乃至３の何れか一項に記載の納骨堂の参拝システム。
【請求項５】
前記遺骨収納器に識別符号を付して管理する遺骨管理手段と、
前記識別符号と関連付けて前記参拝映像を記憶する映像記憶手段と、
を備えた請求項１乃至４の何れか一項に記載の納骨堂の参拝システム。
【請求項６】
前記識別符号に基づいて参拝の受付を行う受付手段と、
前記受付手段で受け付けた前記識別符号に対応する前記遺骨収納器を前記保管庫から前記祭壇へ搬送する搬送管理手段と、
該遺骨収納器が搬送される前記祭壇を含む参拝ブースに、該遺骨収納器に対応する表札を表示する表札表示手段と、
を備えた請求項５に記載の納骨堂の参拝システム。
【請求項７】
前記祭壇に前記待機映像及び前記参拝映像を投影する投影手段と、
石材で形成され、前記待機映像又は前記参拝映像が投影される映像表示部と、を備え、
前記保管庫から搬送される前記遺骨収納器を前記映像表示部に配置する請求項１乃至６の何れか一項に記載の納骨堂の参拝システム。
【発明の詳細な説明】
【技術分野】
【０００１】
本発明は、参拝エリアと納骨エリアが分かれている納骨堂において、故人に関わる映像を表示する納骨堂の参拝システムに関する。
【背景技術】
【０００２】
従来、遺骨を収納する遺骨収納体と、遺骨収納体を収容する収容棚とを備え、収容棚に収容される遺骨収納体を自動搬送手段によって納骨エリアから参拝エリアに搬送でき、また、参拝エリアから納骨エリアに搬送可能な立体自動納骨堂が知られている（例えば、特許文献１参照）。
【０００３】
また、特許文献２には、厨子を収納ラックに自動的に収納し取り出す全自動収納システムにおいて、ＩＤカードで参拝対象を識別して遺骨を納めた厨子を搬送し、参拝エリアのディスプレイに遺影、戒名、没年、その他契約者が希望した写真や動画等の映像を映し出す墓参システムが開示されている。
【先行技術文献】
【特許文献】
【０００４】
【特許文献１】特開２０００−３１００６２号公報
【特許文献２】特開２００７−２６２７０９号公報
【発明の概要】
【発明が解決しようとする課題】
【０００５】
特に、参拝エリアと納骨エリアが分かれ、遺骨を納骨エリアから参拝エリアに自動搬送する納骨堂は、近代的な建物内に設置され、参拝エリアにもディスプレイなどが配置されているため、昔ながらの自然に囲まれた墓地における参拝の感覚とかけ離れているという課題があった。
【０００６】
そこで、本発明は、故人に関わる映像を表示すると共に、参拝者に自然の中で実際に墓参りをしているような感覚を与えることができる納骨堂の参拝システムを提供するものである。
【課題を解決するための手段】
【０００７】
本発明は、上記課題を解決するために、一又は二以上の遺骨を収納する遺骨収納器と、複数の前記遺骨収納器を保管する保管庫と、前記保管庫から前記遺骨収納器が搬送される祭壇と、を有する納骨堂において、所定の静止画又は／及び動画からなる待機映像を前記祭壇に表示させる待機映像表示手段と、前記祭壇に搬送された前記遺骨収納器に収納された一又は二以上の遺骨に対応する故人の情報又はメッセージを含む静止画又は／及び動画からなる参拝映像を該祭壇に表示させる参拝映像表示手段と、該祭壇に設けたセンサ又はスイッチからの信号に基づいて前記待機映像と前記参拝映像を切り替える映像切替手段と、を備えた納骨堂の参拝システムを提供するものである。
【０００８】
また、本発明の納骨堂の参拝システムは、前記映像切替手段が、前記納骨堂の参拝時に使用する仏具若しくは神具を検出するセンサ又は前記仏具若しくは前記神具を所定位置に載置することによって作動するスイッチを備えるものである。
【０００９】
また、本発明の納骨堂の参拝システムは、前記映像切替手段が、香炉を検出するセンサ又は香炉を所定位置に載置することによって作動するスイッチを備えるものである。
【００１０】
また、本発明の納骨堂の参拝システムにおいて、前記切替手段は、前記参拝映像に切り替える前記信号を受信すると、前記待機映像が左右に分かれて中央部から両端部に向かって徐々に参拝映像に切り替え、前記待機映像に切り替える前記信号を受信すると、左右の両端部から中央部に向かって徐々に前記参拝映像が前記待機映像に切り替えるものである。
【００１１】
また、本発明の納骨堂の参拝システムは、前記遺骨収納器に識別符号を付して管理する遺骨管理手段と、前記識別符号と関連付けて前記参拝映像を記憶する映像記憶手段と、を備えたものである。
【００１２】
また、本発明の納骨堂の参拝システムは、前記識別符号に基づいて参拝の受付を行う受付手段と、前記受付手段で受け付けた前記識別符号に対応する前記遺骨収納器を前記保管庫から前記祭壇へ搬送する搬送管理手段と、該遺骨収納器が搬送される前記祭壇を含む参拝ブースに、該遺骨収納器に対応する表札を表示する表札表示手段と、を備えたものである。
【００１３】
また、本発明の納骨堂の参拝システムは、前記祭壇に前記待機映像及び前記参拝映像を投影する投影手段と、石材で形成され、前記待機映像又は前記参拝映像が投影される映像表示部と、を備え、前記保管庫から搬送される前記遺骨収納器を前記映像表示部に配置するものである。
【発明の効果】
【００１４】
本発明の納骨堂の参拝システムは、一又は二以上の遺骨を収納する遺骨収納器と、複数の前記遺骨収納器を保管する保管庫と、前記保管庫から前記遺骨収納器が搬送される祭壇と、を有する納骨堂において、所定の静止画又は／及び動画からなる待機映像を前記祭壇に表示させる待機映像表示手段と、前記祭壇に搬送された前記遺骨収納器に収納された一又は二以上の遺骨に対応する故人の情報又はメッセージを含む静止画又は／及び動画からなる参拝映像を該祭壇に表示させる参拝映像表示手段と、該祭壇に設けたセンサ又はスイッチからの信号に基づいて前記待機映像と前記参拝映像を切り替える映像切替手段と、を備えたことにより、参拝時には、故人の遺影や戒名、俗名、没年月日など故人に関わる情報及びメッセージを映像として祭壇に表示することができると共に、待機時には、例えば水の流れる映像など自然を演出する映像を祭壇に表示して、参拝ブースを訪れた参拝者に自然の中で実際に墓参りをしているような感覚を与えることができる効果がある。
【００１５】
また、本発明の納骨堂の参拝システムは、前記映像切替手段が、前記納骨堂の参拝時に使用する仏具若しくは神具を検出するセンサ又は前記仏具若しくは前記神具を所定位置に載置することによって作動するスイッチを備えることにより、参拝者が参拝ブースを訪れるときには待機映像として自然を演出する映像などを祭壇に表示することができ、参拝を始めるタイミングで故人の情報やメッセージを含む参拝映像に切り替えることができる効果がある。
【００１６】
また、本発明の納骨堂の参拝システムは、前記映像切替手段が、香炉を検出するセンサ又は香炉を所定位置に載置することによって作動するスイッチを備えることにより、参拝者が参拝ブースを訪れるときには待機映像として自然を演出する映像などを祭壇に表示することができ、香炉を用いて参拝を始めるタイミングで故人の情報やメッセージを含む参拝映像に切り替えることができる効果がある。
【００１７】
また、本発明の納骨堂の参拝システムにおいて、前記切替手段は、前記参拝映像に切り替える前記信号を受信すると、前記待機映像が左右に分かれて中央部から両端部に向かって徐々に参拝映像に切り替え、前記待機映像に切り替える前記信号を受信すると、左右の両端部から中央部に向かって徐々に前記参拝映像が前記待機映像に切り替えることにより、例えば自然を演出する待機映像の余韻を残しながら故人の情報やメッセージを含む参拝映像に切り替えることができる効果がある。
【００１８】
また、本発明の納骨堂の参拝システムは、前記遺骨収納器に識別符号を付して管理する遺骨管理手段と、前記識別符号と関連付けて前記参拝映像を記憶する映像記憶手段と、を備えたことにより、保管庫から祭壇に搬送される遺骨収納器に収納された遺骨に対応する故人の情報やメッセージを含む参拝映像を表示することができる効果がある。
【００１９】
また、本発明の納骨堂の参拝システムは、前記識別符号に基づいて参拝の受付を行う受付手段と、前記受付手段で受け付けた前記識別符号に対応する前記遺骨収納器を前記保管庫から前記祭壇へ搬送する搬送管理手段と、該遺骨収納器が搬送される前記祭壇を含む参拝ブースに、該遺骨収納器に対応する表札を表示する表札表示手段と、を備えたことにより、参拝の受付を行うと、空きのある祭壇に識別符号に対応する遺骨収納器を搬送し、その遺骨収納器が搬送される祭壇を含む参拝ブースに該遺骨収納器に対応する表札を表示して、参拝者に参拝を行う参拝ブースを知らせることができる効果がある。
【００２０】
また、本発明の納骨堂の参拝システムは、前記祭壇に前記待機映像及び前記参拝映像を投影する投影手段と、石材で形成され、前記待機映像又は前記参拝映像が投影される映像表示部と、を備え、前記保管庫から搬送される前記遺骨収納器を前記映像表示部に配置することにより、祭壇を石材で形成することができ、遺骨収納器が配置された映像表示部に故人の情報やメッセージを含む参拝映像又は待機映像を表示することができる効果がある。
【図面の簡単な説明】
【００２１】
【図１】本発明に係る納骨堂の参拝システムの一実施例を示す構成図。
【図２】納骨堂の参拝システムの待機映像の一例を示す図。
【図３】納骨堂の参拝システムの映像切替の一例を示す図。
【図４】納骨堂の参拝システムの参拝映像の一例を示す図。
【図５】本発明に係る納骨堂の参拝システムの参拝の流れの一例を示す図。
【発明を実施するための形態】
【００２２】
本発明の納骨堂の参拝システムは、一又は二以上の遺骨を収納する遺骨収納器２と、複数の遺骨収納器２を保管する保管庫３と、保管庫３から遺骨収納器２が搬送される祭壇４と、を有する納骨堂１において、所定の静止画又は／及び動画からなる待機映像を祭壇４に表示させる待機映像表示手段１５と、祭壇４に搬送された遺骨収納器２に収納された一又は二以上の遺骨に対応する故人の情報又はメッセージを含む静止画又は／及び動画からなる参拝映像を該祭壇４に表示させる参拝映像表示手段１６と、該祭壇４に設けたセンサ８又はスイッチからの信号に基づいて待機映像と参拝映像を切り替える映像切替手段１７と、を備えている。
【実施例１】
【００２３】
本発明の実施例を図１に基づいて説明する。図１は、本発明に係る納骨堂の参拝システムの一実施例を示す構成図である。
【００２４】
［納骨堂］
図１に示す実施例において、納骨堂１は、一又は二以上の骨壺２０を収納する遺骨収納器２と、複数の遺骨収納器２を保管する保管庫３と、保管庫３から遺骨収納器２が搬送される祭壇４を含む参拝ブース５と、保管庫３と祭壇４の間で遺骨収納器２を搬送する搬送手段９と、を有する。
【００２５】
遺骨収納器２は、遺骨を入れた骨壺２０を収納する箱体であり、例えば１〜４の骨壺２０を収納することができる。遺骨収納器２には、それぞれの遺骨収納器を識別するための識別符号が付されており、該識別符号を記憶したＩＣチップ又はバーコードが取り付けられている。
【００２６】
保管庫３は、多数の遺骨収納器２を立体的に保管することができる棚からなり、それぞれの遺骨収納器２を所定位置に収容して保管する。搬送手段９は、例えばコンピュータで制御された自走式の搬送台車からなり、所望の遺骨収納器２を保管庫３から取り出して祭壇４へ搬送する。
【００２７】
祭壇４は、保管庫３とは別の場所に設けられた参拝ブース５に設置されている。本実施例において、祭壇４は、石材で形成され、待機映像又は参拝映像が投影される映像表示部４１と、保管庫３から搬送される遺骨収納器２を収容する収容部４２と、遺骨収納器２への遺骨の出し入れを行う遺骨受入部４３と、を備えている。
【００２８】
本実施例の祭壇４は、図２乃至図４に示すように、台座の中央部に石材で形成された主の映像表示部４１が立設され、その左右両側に間隔をおいて石材で形成された副の映像表示部４１が立設されている。遺骨収納器２を収容する収容部４２は、主の映像表示部４１に設けられ、遺骨受入部４３は台座に設けられている。また、祭壇４には、香炉７が備えられており、台座の上面には、この香炉７を加熱するための電気を供給する電極が設けられている。
【００２９】
なお、祭壇４は、図示の実施例の構成や材質に限定されるものではなく、待機映像及び参拝映像を投影できるものであればよい。また、映像表示部４１は、一の石材で構成してもよく、本実施例のように複数の石材で構成してもよい。
【００３０】
納骨堂１には、保管庫３の規模に応じて複数の参拝ブース５を備えている。参拝ブース５には、祭壇４に待機映像及び参拝映像を投影する投影手段としてプロジェクタ６と、祭壇４の収容部４２に収容された遺骨収納器２に対応した「○○家」などの表札を表示する表札表示部１９と、を備えている。また、参拝ブース５には、香炉７の他、参拝時に使用する他の仏具又は神具などを備えていてもよい。
【００３１】
なお、遺骨受入部４３は、全ての祭壇４に設ける必要はなく、納骨堂１において少なくとも一つの祭壇４に設けていればよい。搬送手段９は、保管庫３から遺骨収納器２を祭壇４の遺骨受入部４３へ搬送し、骨壺２０を収納した後、読経や焼香のために該遺骨収納器２を祭壇４の収容部４２へ搬送する。搬送手段９は、納骨の儀が終わった後、該遺骨収納器２を祭壇４の収容部４２から保管庫３へ搬送する。
【００３２】
［参拝システム］
図１に示す実施例において、参拝システム１０は、遺骨収納器２に識別符号を付して管理する遺骨管理手段１１と、識別符号に基づいて参拝の受付を行う受付手段１２と、受付手段１２で受け付けた識別符号に対応する遺骨収納器２を保管庫３から祭壇４へ搬送する搬送管理手段１３と、識別符号と関連付けて参拝映像を記憶する映像記憶手段１４と、祭壇４の映像表示部４１に待機映像を表示する待機映像表示手段１５と、祭壇４の映像表示部４１に参拝映像を表示する参拝映像表示手段１６と、祭壇４に設けたセンサ８からの信号に基づいて待機映像と参拝映像を切り替える映像切替手段１７と、表札表示部１９に表札を表示する表札表示手段１８と、を有するコンピュータで構成されている。
【００３３】
遺骨管理手段１１は、遺骨収納器２に識別符号を付与し、該遺骨収納器２に収納された遺骨の遺族に対して、該識別符号に対応したＩＤカード番号が書き込まれたＩＤカードを発行する。また、遺骨管理手段１１は、予め識別符号が付され、その識別符号を記憶したＩＣチップ又はバーコードが取り付けられた遺骨収納器２に対し、その識別符号に関連付けたＩＤカード番号を設定するように構成してもよい。
【００３４】
受付手段１２は、例えば納骨堂１の入口に、ＩＤカードからＩＤカード番号を読み取るための読取装置を備えてあり、該読取装置で読み取ったＩＤカード番号を受け取って参拝者の受付を行う。なお、ＩＤカード番号は、ＩＤカードなどの媒体の他、読取装置と通信可能な携帯端末に記憶してもよい。
【００３５】
受付手段１２は、参拝者の受付を行うと、空きのある参拝ブース５又は最も早く空きが発生する見込みの参拝ブース５を検出し、受付を行った参拝者が参拝を行う参拝ブース５を決定する。
【００３６】
搬送管理手段１３は、遺骨収納器２に付与された識別符号と、該遺骨収納器２が保管される保管庫３の所定位置とを関連付けて記憶する。搬送管理手段１３は、受付手段１２で受け付けたＩＤカード番号（識別符号）に対応する遺骨収納器２を保管庫３の所定位置から取り出し、受付手段１２が決定した参拝ブース５の祭壇４の収容部４２へ搬送する。また、搬送管理手段１３は、遺骨収納器２に取り付けられたＩＣチップ又はバーコードから識別符号を読み取る読取装置を備えていることが好ましい。搬送管理手段１３は、参拝が終了すると、遺骨収納器２に付与された識別符号に基づいて、該遺骨収納器２を保管庫３の所定位置に搬送する。
【００３７】
表札表示手段１８は、受付手段１２が決定した参拝ブース５の表札表示部１９に、搬送される遺骨収納器２に対応する表札を表示する。表札は、「○○家」など予め登録された内容が表示される。
【００３８】
映像記憶手段１４は、所定の静止画又は／及び動画からなる待機映像と、搬送される遺骨収納器２に収納された一又は二以上の遺骨に対応する故人の情報又はメッセージを含む静止画又は／及び動画からなる参拝映像と、を記憶する。映像記憶手段１４は、遺骨収納器２に付された識別符号と関連付けて参拝映像を記憶している。
【００３９】
本実施例において、映像記憶手段１４は、図２に示すように、待機映像として、滝のように水が流れる映像を記憶している。映像記憶手段１４は、映像と共に水の流れる音を記憶してもよい。また、映像記憶手段１４は、複数の待機映像を記憶しておき、遺族が選択した待機映像と遺骨収納器２に付された識別符号とを関連付けて記憶してもよい。
【００４０】
映像記憶手段１４は、遺骨収納器２毎に、その識別符号に関連付けた参拝映像として、故人の遺影や戒名、俗名、没年月日など故人に関わる情報及びメッセージを静止画や動画で記憶している。遺骨収納器２に複数の骨壺２０を収納している場合には、複数の故人の情報を映像として順に表示したり、並列的に表示したりしてもよい。参拝映像には、故人が生前に遺族に向けて作成したメッセージ映像を含むこともでき、あらゆる静止画や動画を含んでいてもよい。
【００４１】
待機映像表示手段１５は、予め定まった待機映像、又は搬送される遺骨収納器２の識別符号に関連付けて記憶された待機映像を、映像記憶手段１４から読み出し、プロジェクタ６によって祭壇４の映像表示部４１に投影する。
【００４２】
参拝映像表示手段１５は、搬送される遺骨収納器２の識別符号に関連付けて記憶された参拝映像を、映像記憶手段１４から読み出し、プロジェクタ６によって祭壇４の映像表示部４１に投影する。
【００４３】
映像切替手段１７は、祭壇４に設けられ、納骨堂１の参拝時に使用する仏具又は神具を検出するセンサ８からの信号に基づいて待機映像と参拝映像を切り替える。本実施例において、仏具又は神具は香炉７であり、センサ８は香炉７に電気を供給する電極に併設している。センサ８は、赤外線などによって香炉７の有無を検知するセンサや通電の有無を検出するセンサなど、いかなるセンサであってもよい。また、映像切替手段１７は、センサ８に代えて、又はセンサ８に加えて、香炉７を所定位置に載置することによって作動するスイッチを備えていてもよい。また、映像切替手段１７は、センサ８に代えて、又はセンサ８に加えて、参拝の開始又は／及び終了の信号を発するスイッチを祭壇４に備えていてもよい。
【００４４】
切替手段１７は、センサ８が香炉７を検出し、待機映像を参拝映像に切り替える信号を受信すると、図３に示すように、待機映像が左右に分かれ、中央部から両端部に向かって徐々に待機映像を参拝映像に切り替える。また、切替手段１７は、センサ８が香炉７の取り外しを検出し、参拝映像を待機映像に切り替える信号を受信すると、左右の両端部から待機映像が現れ、中央部に向かって徐々に参拝映像を待機映像に切り替える。
【００４５】
映像切替手段１７は、参拝者が参拝ブース５に入室する際に、自然を演出する待機映像を祭壇に表示することができるから、納骨堂１の参拝時に使用する仏具又は神具を検出するセンサ８からの信号に基づいて待機映像と参拝映像を切り替えることが好ましいが、参拝者の入室を検出するセンサからの信号に基づいて待機映像と参拝映像を切り替えるように構成してもよい。
【００４６】
次に、図５を参照しながら、本発明の納骨堂１の参拝システム１０による参拝の流れについて説明する。
【００４７】
（１）参拝者は、納骨堂１の入口でＩＤカードを読取装置にタッチして、参拝の受付を行う。受付手段１２は、読取装置で読み取ったＩＤカード番号を受け取り、空きのある参拝ブース５又は最も早く空きが発生する見込みの参拝ブース５を検出し、受付を行った参拝者が参拝を行う参拝ブース５を決定する（ステップＳ１）。
【００４８】
（２）搬送管理手段１３は、受付手段１２で受け付けたＩＤカード番号（識別符号）に対応する遺骨収納器２を保管庫３の所定位置から取り出し、受付手段１２が決定した参拝ブース５の祭壇４の収容部４２へ搬送する（ステップＳ２）。なお、参拝ブース５の空きがない場合には、参拝ブース５に空きが発生したのちに遺骨収納器２の搬送を行う。
【００４９】
（３）表札表示手段１８は、受付手段１２が決定した参拝ブース５の表札表示部１９に、搬送される遺骨収納器２に対応する表札（例えば、「○○家」）を表示する（ステップＳ３）。また、表札表示手段１８は、祭壇４の収容部４２へ遺骨収納器２の搬送が完了した後に、表札を表示して搬送の完了を通知するようにしてもよい。
【００５０】
（４）待機映像表示手段１５は、滝のように水の流れる待機映像を祭壇４の映像表示部４１に表示する（ステップＳ４）。その際に、映像に加えて水の流れる音や音楽を流してもよい。また、待機映像表示手段１５は、表札表示手段１８が表札表示部１９に表札を表示するのと同じタイミングで、待機映像を表示させることが好ましい。
【００５１】
（５）センサ８は、赤外線などによって香炉７の有無を検知する（ステップＳ５）。待機中において、センサ８は、香炉７を検出すると、参拝映像に切り替える信号を参拝システム１０に送信する。
【００５２】
（６）映像切替手段１７は、センサ８から参拝映像に切り替える信号を受信すると、待機映像から参拝映像に切り替える（ステップＳ６）。具体的には、図３に示すように、滝のように水の流れる待機映像が左右に分かれ、中央部から両端部に向かって徐々に待機映像が参拝映像に切り替わる。一方、センサ８から参拝映像に切り替える信号を受信しない場合には、待機映像表示手段１５が滝のように水の流れる待機映像を祭壇４の映像表示部４１に表示し続ける。
【００５３】
（７）センサ８は、赤外線などによって香炉７の有無を検知する（ステップＳ７）。参拝中において、センサ８は、香炉７の取り外しを検出すると、待機映像に切り替える信号を参拝システム１０に送信する。
【００５４】
（８）映像切替手段１７は、センサ８から待機映像に切り替える信号を受信すると、参拝映像から待機映像に切り替える（ステップＳ８）。具体的には、図３に示すように、滝のように水の流れる待機映像が左右の両端部から現れ、中央部に向かって徐々に参拝映像が待機映像に切り替わる。一方、センサ８から待機映像に切り替える信号を受信しない場合には、参拝映像表示手段１６が参拝映像の終了まで参拝映像を祭壇４の映像表示部４１に表示し続ける。
【００５５】
また、映像切替手段１７は、参拝の終了を知らせるスイッチを祭壇４に備え、参拝の終了時に参拝者がスイッチを押すことによって、待機映像に切り替える信号を参拝システム１０に送信するようにしてあることが好ましい。また、搬送管理手段１３は、映像切替手段１７が参拝映像から待機映像に切り替えると、遺骨収納器２に付与された識別符号に基づいて、該遺骨収納器２を保管庫３の所定位置に搬送する。
【符号の説明】
【００５６】
１  納骨堂
２  遺骨収納器
３  保管庫
４  祭壇
５  参拝ブース
６  プロジェクタ
７  香炉
８  センサ
９  搬送手段
１０  参拝システム
１１  遺骨管理手段
１２  受付手段
１３  搬送管理手段
１４  映像記憶手段
１５  待機映像表示手段
１６  参拝映像表示手段
１７  映像切替手段
１８  表札表示手段
２０  骨壺
【図１】
2019035274.tif 000003
【図２】
2019035274.tif 000004
【図３】
2019035274.tif 000005
【図４】
2019035274.tif 000006
【図５】
2019035274.tif 000007